(57)【要約】【目的】受光用の画素上にマイクロレンズをオンチップで設けて集光率を上げるとともに、しゃ光画素におけるしゃ光層を通過する光量を極力抑制して出力感度を上げるようにする。【構成】固体撮像素子を画素単位とし、受光用の画素とオプティカルブラック用のしゃ光画素とが設けられたイメージセンサにあって、しゃ光画素以外の受光用の画素における受光部の上にマイクロレンズを設けるようにする。【選択図】　　　　図６
2004120723.tif 000002
【特許請求の範囲】
【請求項１】
固体撮像素子を画素単位とし、受光用の画素と受光部分をしゃ光層で覆ったオプティカルブラック用のしゃ光画素とが設けられたイメージセンサにおいて、そのしゃ光画素以外の受光用の画素上にマイクロレンズを設けたことを特徴とするイメージセンサ。
【請求項２】
受光用の画素に接するしゃ光画素上にダミー用のマイクロレンズを設けたことを特徴とする請求項１の記載によるイメージセンサ。
【請求項３】
イメージセンサにおける各画素を構成する固体撮像素子が、撮影時の入射光量に応じてフォトダイオードに流れる光電流をトランジスタのサブスレッショルド領域の特性を利用した弱反転状態で対数特性をもって電圧信号に変換して、その変換された電圧信号に応じたセンサ信号を出力するものであることを特徴とする請求項１の記載によるイメージセンサ。
【請求項４】
撮影に先がけて、フォトダイオードの寄生容量に電荷を注入して初期化するようにしたことを特徴とする請求項３の記載によるイメージセンサ。
【発明の詳細な説明】
【０００１】
【産業上の利用分野】
本発明は、固体撮像素子を画素単位とし、各画素の受光部の上にマイクロレンズをオンチップで設けたイメージセンサに関する。
【０００２】
【従来の技術】
一般に、増幅型の固体撮像素子を画素とするイメージセンサにあっては、ＣＭＯＳプロセスによって各画素内にフォトダイオードおよび光検知制御用、増幅用、画素選択用の各トランジスタ等を構成するようにしているので、フォトダイオードの面積が小さくなり、そのため有効受光面積が小さくなって感度やＳＮ比の低下をきたしている。
【０００３】
そのため、従来では、固体撮像素子を画素とするイメージセンサにおける各フォトダイオードが形成されている受光部の上にオンチップでマイクロレンズを設けて、フォトダイオードに入射する光量を増加させるようにしている（特開平８−３１６４４８号公報、特開２０００−３０７０９０号公報参照）。
【０００４】
また、従来、固体撮像素子を画素とするイメージセンサにあって、基準信号を得るなどのために、オプティカルブラック用のしゃ光された画素を配設するようにしたものがある。
【０００５】
図５は、固体撮像素子を画素とするイメージセンサにあって、受光用の画素とオプティカルブラック用のしゃ光画素とが並設された部分的な構成を示している。
【０００６】
ここでは、各画素がＣＭＯＳプロセスによってフォトダイオードＰＤおよび光検知制御用トランジススタＱ１、増幅用トランジスタＱ２、画素選択用のトランジスタＱ３からなる光センサ回路（図１参照）が形成されている。そして、オンチップで設けられたマイクロレンズＬを通した光が受光用の画素１におけるフォトダイオードＰＤが形成されている受光部の上に直接照射され、隣接のしゃ光画素２に対応するマイクロレンズＬを通した光がしゃ断されるようにしゃ光層３が設けられている。図中４は、透明層を示している。
【０００７】
そのしゃ光層３としては、通常アルミニウムＡｌの薄膜によって形成されているが、Ａｌよりもしゃ光効果の大きな高融点材料であるタングステンＷ、モリブデンＭｏ、チタンＴｉ等、あるいはそれらの化合物による薄膜を形成することもある。
【０００８】
しかし、しゃ光層３といってもそれが薄膜によるものであるために、マイクロレンズＬを通した光が完全にしゃ断されることなく、微少ながらその通過光がしゃ光画素２のフォトダイオードＰＤによって受光されてしまう。
【０００９】
特にダイナミックレンジの大きな対数出力特性をもった光センサ回路を画素に用いたいメージセンサでは、しゃ光画素にはダイナミックレンジ以上のしゃ光性能が要求される。
【００１０】
【発明が解決しようとする課題】
解決しようとする問題点は、固体撮像素子を画素単位として、受光用の画素とオプティカルブラック用のしゃ光画素とが設けられたイメージセンサにあって、各画素に対応してそれぞれマイクロレンズをオンチップで設けるのでは、しゃ光画素上に設けられたマイクロレンズによって集光された光が微少ながらしゃ断層を通過して光画素２のフォトダイオードＰＤによって受光されてしまい、暗時の出力感度が低下してしまうことである。
【００１１】
【課題を解決するための手段】
本発明は、固体撮像素子を画素単位とし、受光用の画素とオプティカルブラック用のしゃ光画素とが設けられたイメージセンサにあって、各受光用の画素上にマイクロレンズをオンチップで設けて集光率を上げるとともに、しゃ光画素におけるしゃ光層を通過する光量を極力抑制して出力感度を上げるべく、しゃ光画素以外の受光用の画素における受光部の上にのみマイクロレンズを設けるようにしている。
【００１２】
【実施例】
図１は、本発明のイメージセンサにおける画素単位となる光センサ回路の基本的な構成を示している。
【００１３】
その光センサ回路は、光検知時における入射光Ｌｓの光量に応じたセンサ電流を生ずる光電変換素子としてのフォトダイオードＰＤと、そのフォトダイオードＰＤに流れるセンサ電流をサブスレッショルド領域の特性を利用した弱反転状態で対数特性をもって電圧信号Ｖｐｄに変換するトランジスタＱ１と、その変換された電圧信号Ｖｐｄを増幅するトランジスタＱ２と、読出し信号Ｖｓのパルスタイミングでもってセンサ信号Ｓｏを出力するトランジスタＱ３とによって構成され、ダイナミックレンジを拡大して光信号の検出を高感度で行わせることができるようになっている。そして、光検知に先がけてトランジスタＱ１のドレイン電圧ＶＤを所定時間だけ定常値よりも低く設定して、フォトダイオードＰＤの寄生容量Ｃに蓄積された残留電荷を放電させて初期化することにより、センサ電流に急激な変化が生じても即座にそのときの入射光Ｌｓの光量に応じた電圧信号Ｖｐｄが得られるようにして、入射光量が少ない場合でも残像が生ずることがないようにしている。この光センサ回路自体は、公知である。
【００１４】
図２は、その光センサ回路における各部信号のタイムチャートを示している。ここで、ｔ１は初期化のタイミングを、ｔ２はセンサ信号Ｓｏの出力タイミングを、Ｔは光検知時の寄生容量Ｃにおける電荷蓄積期間をそれぞれ示している。
【００１５】
図３は、その光センサ回路における入射光量に応じたセンサ電流に対するセンサ信号Ｓｏの出力特性を示している。それは、フォトダイオードＰＤに流れるセンサ電流が多いときには対数出力特性を示し、センサ電流が少ないときには寄生容量Ｃの充電に応答遅れを生じてほぼ線形の非対数出力特性を示している。図中、ＷＡは非対数応答領域を示し、ＷＢは対数応答領域を示している。
【００１６】
このような光センサ回路が画素単位として、図４に示すように、ＣＭＯＳプロセスによって固体撮像素子として構成されることになる。ここでは、受光用の画素１としゃ光層３によって遮蔽されたオプティカルブラック用のしゃ光画素２とが並設された部分的な構成を示している。
【００１７】
本発明では、図６および図７に示すように、受光用の画素１（１１，１２）としゃ光層３によって覆われたオプティカルブラック用のしゃ光画素２（２１，２２，２３）とが設けられたものにあって、各受光用の画素１の上にのみマイクロレンズＬをオンチップで設け、しゃ光画素２の上にはマイクロレンズを設けないようにしている。なお、図７では、簡略的に、各画素におけるフォトダイオードＰＤの部分のみを示している。
【００１８】
このような構成によれば、しゃ光層３が薄膜によって形成されているために、そのしゃ光層３を通して微少な光が各しゃ光画素２のフォトダイオードＰＤによって受光されてしまう。
【００１９】
その場合、図５に示すように、しゃ光画素２の上にマイクロレンズＬが設けられている場合に比して、しゃ光画素２の受光量が数分の１に減少する。その際、マイクロレンズＬの集光率が２倍ならば、そのマイクロレンズＬを設けないしゃ光画素２における受光量が１／２（３ｄＢ）に改善されたことになる。
【００２０】
図８は、マイクロレンズＬの集光率を５倍としたときの受光用の画素１の入射光量に応じたセンサ電流に対する出力特性Ａ、マイクロレンズＬを設けたときのしゃ光画素２の出力特性Ｂ、マイクロレンズＬを設けないときのしゃ光画素２の出力特性Ｃをそれぞれ示している。
【００２１】
それによれば、マイクロレンズＬを設けたときのしゃ光画素２の出力特性Ｂに比べて、マイクロレンズＬを設けないときのしゃ光画素２の出力特性Ｃは５倍程度の光量まで暗時と同じ出力を得ることができるようになる。
【００２２】
また、図９は本発明によるイメージセンサの他の実施例を示している。
【００２３】
ここでは、しゃ光画素２１に隣接する受光用の画素１２上に設けられるマイクロレンズＬの形状が崩れて変形することがないように、受光用の画素１２に接するしゃ光画素２１の上にダミー用のマイクロレンズＬを設けるようにしている。
【００２４】
このように、ダミー用のマイクロレンズＬを設けることで、Ｘ方向およびＹ方向に配設される受光用の画素１上にマイクロレンズＬが設けられる際の連続性がしゃ光画素２の存在によって途絶えても、受光用の画素１上に設けられるマイクロレンズＬが変形するがなくなる。したがって、各受光用の画素１において均一な受光量を得ることができるようになる。
【００２５】
このダミー用のマイクロレンズＬは受光用の画素１に隣接するしゃ光画素２の上だけに限らず、その隣接したしゃ光画素２１につながる複数のしゃ光画素２上に設けるようにしてもよい。
【００２６】
図１０は、オンチップでマイクロレンズＬを形成する際の工程の一例を示している。
【００２７】
ここでは、第１の工程（ａ）として、蒸着などによってレンズ形成層５を形成する。次いで、第２の工程（ｂ）として、そのレンズ形成層５上にマイクロレンズの形成箇所に応じたレジストパターン６の形成を行ったうえで、第３の工程（ｃ）として、ドライエッチングによって不要な箇所のレンズ形成層５をとり除く。次いで、第４の工程（ｄ）として、レジスト除去を行ったうえで、第５の工程（ｅ）として、熱処理によってマイクロレンズＬを形成するようにしている。
【００２８】
あるいはまた、感光性レジスト（またはポリイミド）を塗布してレンズ形成層を形成し、露光による所定のパターニングを行ってエッチングしたうえで、熱処理によってマイクロレンズを形成するようにすることも可能である。
【００２９】
【発明の効果】
以上、本発明は、固体撮像素子を画素単位とし、受光用の画素とオプティカルブラック用のしゃ光画素とが設けられたイメージセンサにあって、しゃ光画素以外の受光用の画素における受光部の上にマイクロレンズを設けるようにしたもので、各受光用の画素上にマイクロレンズをオンチップで設けて集光率を上げるとともに、しゃ光画素におけるしゃ光層を通過する光量を極力抑制して出力感度を有効に上げることができるという利点を有している。
【図面の簡単な説明】
【図１】イメージセンサにおける画素単位となる光センサ回路の基本的な構成を示す電気回路図である。
【図２】その光センサ回路における各部信号のタイムチャートである。
【図３】その光センサ回路における入射光量に応じたセンサ電流に対するセンサ信号の出力特性を示す図である。
【図４】その光センサ回路をＣＭＯＳプロセスによって固体撮像素子として形成したときのイメージセンサの部分的な正断面図である。
【図５】従来の受光用の画素としゃ光画素との上にそれぞれマイクロレンズが形成されたイメージセンサを示す部分的な正断面図である。
【図６】本発明による受光用の画素上にのみマイクロレンズが形成されたイメージセンサを示す部分的な正断面図である。
【図７】本発明による受光用の画素上にのみマイクロレンズが形成されたイメージセンサを示す部分的な簡略正断面図である。
【図８】マイクロレンズを設けた受光用の画素、マイクロレンズを設けたしゃ光画素およびマイクロレンズを設けないしゃ光画素における各入射光量に応じたセンサ電流に対するセンサ信号の出力特性をそれぞれ示す図である。
【図９】本発明による受光用の画素に隣接するしゃ光画素の上にダミー用のマイクロレンズが形成されたイメージセンサを示す部分的な簡略正断面図である。
【図１０】オンチップでマイクロレンズを形成する際の工程の一例を示す図である。
【符号の説明】
１　受光用の画素
２　しゃ光画素
３　しゃ光層
４　透明層
Ｌ　マイクロレンズ
ＰＤ　フォトダイオード
【図１】
2004120723.tif 000003
【図２】
2004120723.tif 000004
【図３】
2004120723.tif 000005
【図４】
2004120723.tif 000006
【図５】
2004120723.tif 000007
【図６】
2004120723.tif 000008
【図７】
2004120723.tif 000009
【図８】
2004120723.tif 000010
【図９】
2004120723.tif 000011
【図１０】
2004120723.tif 000012